(57)【要約】【課題】簡素な構成で、左側切取線および右側切取線を小さい力で円滑に破断させることが可能な包装箱を提供すること。【解決手段】収容物品Ｗを収容可能な箱本体部８０と、箱本体部８０に切取可能線７０を介して連設された蓋部９０とから構成される包装箱１０であって、切取可能線７０が、中央切取線７１と、中央切取線７１の左端から左側背面フラップ３１の正面側辺部または左側上面フラップ５１の底面側辺部まで延びる左側切取線７２と、中央切取線７１の右端から右側背面フラップ３２の正面側辺部または右側上面フラップ５２の底面側辺部まで延びる右側切取線７３とを有し、上面板５０には、中央切取線７１上における左右両端以外の箇所から正面側に向けて延びる少なくとも１本の罫線５３が形成されている包装箱１０。【選択図】図２
2017088223.tif 000002
【特許請求の範囲】
【請求項１】
１枚のシート状のブランクにより形成され、収容物品を収容可能な箱本体部と、箱本体部に切取可能線を介して連設された蓋部とから構成される包装箱であって、
底面板と、前記底面板の背面側辺部に折目線を介して連設された背面板と、前記背面板の上面側辺部に背面側折目線を介して連設された上面板と、前記背面板の左側辺部に折目線を介して連設された左側背面フラップと、前記背面板の右側辺部に折目線を介して連設された右側背面フラップと、前記上面板の左側辺部に折目線を介して連設された左側上面フラップと、前記上面板の右側辺部に折目線を介して連設された右側上面フラップとを備え、
前記切取可能線は、前記背面側折目線の左端から右端まで延びる中央切取線と、前記左側背面フラップまたは前記左側上面フラップの少なくとも一方に形成され、前記中央切取線の左端から前記左側背面フラップの正面側辺部または前記左側上面フラップの底面側辺部まで延びる左側切取線と、前記右側背面フラップまたは前記右側上面フラップの少なくとも一方に形成され、前記中央切取線の右端から前記右側背面フラップの正面側辺部または前記右側上面フラップの底面側辺部まで延びる右側切取線とを有し、
前記上面板には、前記中央切取線上における左右両端以外の箇所から正面側に向けて延びる少なくとも１本の罫線が形成されていることを特徴とする包装箱。
【請求項２】
前記上面板には、前記中央切取線上の互いに離間した２つの罫線起点部から正面側に向けてそれぞれ延びる２本の罫線が形成されていることを特徴とする請求項１に記載の包装箱。
【請求項３】
前記背面板には、前記背面側折目線から下方に突出する押込部が形成され、
前記中央切取線は、前記背面側折目線の左端から前記２つの罫線起点部のうち左側の罫線起点部まで延びる左側部分と、前記背面側折目線の右端から前記２つの罫線起点部のうち右側の罫線起点部まで延びる右側部分と、前記左側の罫線起点部から前記背面板を通って前記右側の罫線起点部まで延び、前記押込部を画定する押込部画定部とを有していることを特徴とする請求項２に記載の包装箱。
【請求項４】
前記２本の罫線は、正面側に向かうに従って相互間の間隔が広がるように形成されていることを特徴とする請求項２または請求項３に記載の包装箱。
【発明の詳細な説明】
【技術分野】
【０００１】
本発明は、１枚のシート状のブランクにより形成され、収容物品を収容可能な箱本体部と、箱本体部に切取可能線を介して連設された蓋部とから構成される包装箱に関し、特に、蓋部を除去した後に、箱本体部を展示用の箱として利用することが可能な包装箱に関する。
【背景技術】
【０００２】
従来から、１枚のシート状のブランクにより形成され、収容物品を収容可能な箱本体部と、箱本体部に切取可能線を介して連設された蓋部とから構成される包装箱が知られており（特許文献１を参照）、この特許文献１に記載の包装箱では、切取可能線を破断させて蓋部を除去した後に、箱本体部を展示用の箱として利用する。
【０００３】
この特許文献１に記載の包装箱は、底面板と、底面板の背面側辺部に折目線を介して連設された背面板と、背面板の上面側辺部に背面側折目線を介して連設された上面板と、背面板の左側辺部に折目線を介して連設された左側背面フラップと、背面板の右側辺部に折目線を介して連設された右側背面フラップと、上面板の左側辺部に折目線を介して連設された左側上面フラップと、上面板の右側辺部に折目線を介して連設された右側上面フラップとを備え、切取可能線としての中央切取線が、背面板と上面板との間の背面側折目線の左端から右端まで延びるように設けられている。
【０００４】
ところが、この特許文献１に記載の包装箱では、包装箱を組み上げた状態で折り重なって配置される、左側背面フラップと左側上面フラップとの間、および、右側背面フラップと右側上面フラップとの間が接着されていないことから、包装箱としての強度を確保することができない。
【先行技術文献】
【特許文献】
【０００５】
【特許文献１】特開２０１５−１０７８３１号公報
【発明の概要】
【発明が解決しようとする課題】
【０００６】
そこで、包装箱としての強度を向上させつつも、切取可能線の破断による箱本体部と蓋部との分離を可能にする１つの案として、図１１や図１２に示すように、背面板１３０に連設された左側背面フラップ１３１に、中央切取線１７１の左端から左側背面フラップ１３１の正面側辺部まで延びる左側切取線１７２を形成するとともに、右側背面フラップ１３２に、中央切取線１７１の右端から右側背面フラップ１３２の正面側辺部まで延びる右側切取線１７３を形成し、また、左側切取線１７２によって左側背面フラップ１３１の基部１３１ａから分離される分離部１３１ｂを左側上面フラップ１５１に接着するとともに、右側切取線１７３によって右側背面フラップ１３２の基部１３２ａから分離される分離部１３２ｂを右側上面フラップ１５２に接着することが考えられる。
【０００７】
なお、図１１においては、理解を容易にするために左側切取線１７２を図示したが、この左側切取線１７２が形成された左側背面フラップ１３１は、左側上面フラップ１５１の内側に配置されており、左側切取線１７２が外側から見えることはない。
【０００８】
この図１１や図１２に示す包装箱１１０では、まず、包装箱１１０の内側に向けて押込部１３３を押し込んだ後に上面板１５０を持ち上げることで、中央切取線１７１を破断させ、次に、上面板１５０を更に持ち上げることで、左側切取線１７２および右側切取線１７３を破断させる。
【０００９】
ところが、図１１や図１２に示す包装箱１１０では、上面板１５０を持ち上げることによって生じる基部１３１ａ、１３２ａと分離部１３１ｂ、１３２ｂとを引き離そうとする力を主に利用して、左側切取線１７２および右側切取線１７３を破断させるが、左側切取線１７２および右側切取線１７３の形成精度や包装箱１１０の素材等によっては、左側切取線１７２および右側切取線１７３を円滑に破断させることができない場合がある。
【００１０】
そこで、本発明は、これらの問題点を解決するものであり、簡素な構成で、左側切取線および右側切取線を小さい力で円滑に破断させることが可能な包装箱を提供することを目的とするものである。
【課題を解決するための手段】
【００１１】
本発明は、１枚のシート状のブランクにより形成され、収容物品を収容可能な箱本体部と、箱本体部に切取可能線を介して連設された蓋部とから構成される包装箱であって、底面板と、前記底面板の背面側辺部に折目線を介して連設された背面板と、前記背面板の上面側辺部に背面側折目線を介して連設された上面板と、前記背面板の左側辺部に折目線を介して連設された左側背面フラップと、前記背面板の右側辺部に折目線を介して連設された右側背面フラップと、前記上面板の左側辺部に折目線を介して連設された左側上面フラップと、前記上面板の右側辺部に折目線を介して連設された右側上面フラップとを備え、前記切取可能線は、前記背面側折目線の左端から右端まで延びる中央切取線と、前記左側背面フラップまたは前記左側上面フラップの少なくとも一方に形成され、前記中央切取線の左端から前記左側背面フラップの正面側辺部または前記左側上面フラップの底面側辺部まで延びる左側切取線と、前記右側背面フラップまたは前記右側上面フラップの少なくとも一方に形成され、前記中央切取線の右端から前記右側背面フラップの正面側辺部または前記右側上面フラップの底面側辺部まで延びる右側切取線とを有し、前記上面板には、前記中央切取線上における左右両端以外の箇所から正面側に向けて延びる少なくとも１本の罫線が形成されていることにより、前記課題を解決するものである。
【発明の効果】
【００１２】
本請求項１に係る発明によれば、中央切取線上における左右両端以外の箇所から正面側に向けて延びる少なくとも１本の罫線が上面板に形成されていることにより、中央切取線を破断させた後に上面板を持ち上げて左側切取線および右側切取線を破断させる際に、上面板の持ち上げに伴って上面板が罫線に沿って折れ曲がり、上面板の背面側辺部の左右両端を左右方向の内側に移動させることが可能であるため、左側切取線および右側切取線の上端部に剪断力を作用させて左側切取線および右側切取線の上端部を破断させ、この破断させた部分を起点として左側切取線および右側切取線を小さい力で円滑に破断させることができる。
【００１３】
本請求項２に係る発明によれば、中央切取線上の互いに離間した２つの罫線起点部から正面側に向けてそれぞれ延びる２本の罫線が上面板に形成されていることにより、上面板を持ち上げて左側切取線および右側切取線を破断させる際に、使用者が２本の罫線間に手を当てて上面板を持ち上げることが可能であるため、罫線に沿って折れ曲がった上面板によって指等が挟まれることを回避でき、安全かつ円滑に左側切取線および右側切取線を破断させることができる。
本請求項３に係る発明によれば、背面板に、背面側折目線から下方に突出する押込部が形成され、中央切取線が、背面側折目線の左端から左側の罫線起点部まで延びる左側部分と、背面側折目線の右端から右側の罫線起点部まで延びる右側部分と、左側の罫線起点部から背面板を通って右側の罫線起点部まで延びる押込部画定部とを有していることにより、背面板の押込部を包装箱の内側に向けて押し込んだ後に、上面板を持ち上げるという簡便な動作によって、中央切取線、左側切取線、および右側切取線を破断させることが可能であるため、包装箱の開封を容易かつ円滑に達成することができる。
本請求項４に係る発明によれば、２本の罫線が正面側に向かうに従って相互間の間隔が広がるように形成されていることにより、上面板を持ち上げて左側切取線および右側切取線を破断させる際に、上面板の背面側辺部の左右両端を左右方向の内側に向けてより効率的に移動させることが可能であるため、左側切取線および右側切取線の上端部を破断させるために必要とされる力を小さくすることができ、包装箱の開封を円滑に達成することができる。
【図面の簡単な説明】
【００１４】
【図１】本発明の第１実施形態に係る包装箱の開封途中の状態を示す斜視図。
【図２】第１実施形態の包装箱を展開した状態を示す平面図。
【図３】第１実施形態の包装箱の開封方法を示す斜視図。
【図４】包装箱に形成された切取可能線の破断方法を示す説明図。
【図５】収容物品の包装方法を説明図する説明図。
【図６】包装箱の変形例を示す説明図。
【図７】本発明の第２実施形態に係る包装箱の開封途中の状態を示す斜視図。
【図８】第２実施形態の包装箱を展開した状態を示す平面図。
【図９】第２実施形態の包装箱の開封方法の一態様を示す斜視図。
【図１０】包装箱の参考例を示す斜視図。
【図１１】包装箱の他の参考例を示す斜視図。
【図１２】図１１に示す包装箱を展開した状態を示す平面図。
【発明を実施するための形態】
【００１５】
以下に、本発明の第１実施形態に係る包装箱１０について、図面に基づいて説明する。
【００１６】
第１実施形態の包装箱１０は、１枚のシート状の段ボールから成るブランクにより形成されたラップアラウンド式の包装箱であり、図１や図２に示すように、底面板２０と、背面板３０と、第１正面板４０と、上面板５０と、第２正面板６０とを備えている。これら各板２０〜６０は、矩形状に形成されている。
【００１７】
背面板３０は、図２に示すように、底面板２０の背面側辺部に折目線を介して連設されている。また、第１正面板４０は、底面板２０の正面側辺部に折目線を介して連設されている。また、上面板５０は、背面板３０の上面側辺部に背面側折目線７４を介して連設されている。また、第２正面板６０は、上面板５０の正面側辺部に折目線を介して連設されている。なお、図２に示す符号Ａは、段ボールの目方向（中空が流れている方向）を示している。
【００１８】
また、包装箱１０は、図２に示すように、左側底面フラップ２１と、右側底面フラップ２２と、左側背面フラップ３１と、右側背面フラップ３２と、第１左側正面フラップ４１と、第１右側正面フラップ４２と、左側上面フラップ５１と、右側上面フラップ５２と、第２左側正面フラップ６１と、第２右側正面フラップ６２とを備えている。これら各フラップ２１〜６２は、矩形状に形成されている。
【００１９】
左側底面フラップ２１および右側底面フラップ２２は、図２に示すように、底面板２０の左側辺部または右側辺部に折目線を介して連設されている。また、左側背面フラップ３１および右側背面フラップ３２は、背面板３０の左側辺部または右側辺部に折目線を介して連設されている。また、第１左側正面フラップ４１および第１右側正面フラップ４２は、第１正面板４０の左側辺部または右側辺部に折目線を介して連設されている。また、左側上面フラップ５１および右側上面フラップ５２は、上面板５０の左側辺部または右側辺部に折目線を介して連設されている。また、第２左側正面フラップ６１および第２右側正面フラップ６２は、第２正面板６０の左側辺部または右側辺部に折目線を介して連設されている。
【００２０】
左側底面フラップ２１は、左側背面フラップ３１および第１左側正面フラップ４１と折り重なって配置され、これら左側背面フラップ３１および第１左側正面フラップ４１に接着される。また、右側底面フラップ２２は、右側背面フラップ３２および第１右側正面フラップ４２と折り重なって配置され、これら右側背面フラップ３２および第１右側正面フラップ４２に接着される。また、左側上面フラップ５１は、左側背面フラップ３１および第２左側正面フラップ６１と折り重なって配置され、これら左側背面フラップ３１および第２左側正面フラップ６１に接着される。また、右側上面フラップ５２は、右側背面フラップ３２および第２右側正面フラップ６２と折り重なって配置され、これら右側背面フラップ３２および第２右側正面フラップ６２に接着される。
【００２１】
左側背面フラップ３１は、図２に示すように、背面板３０に連設される基部３１ａと、後述する左側切取線７２によって基部３１ａから分離される分離部３１ｂとを有し、分離部３１ｂで左側上面フラップ５１に接着される。同様に、右側背面フラップ３２は、背面板３０に連設される基部３２ａと、後述する右側切取線７３によって基部３２ａから分離される分離部３２ｂとを有し、分離部３２ｂで右側上面フラップ５２に接着される。
【００２２】
なお、折り重なって配置される各フラップ２１〜６２の上下関係、すなわち、折り重なって配置される２枚のフラップ２１〜６２のうち、いずれのフラップ２１〜６２を包装箱１０の外側または内側に配置するかについては、実施形態に応じて任意に決定すればよい。また、折り重なって配置される２枚のフラップ２１〜６２同士を接着するか否かは、実施形態に応じて任意に決定すればよい。また、折り重なって配置される各フラップ２１〜６２同士を固着する方法については、接着に限定されない。
【００２３】
包装箱１０には、図１や図２に示すように、ミシン目状の切取可能線７０が形成されており、この切取可能線７０を破断することにより、包装箱１０は、箱本体部８０および蓋部９０の２つのパーツに分離される。
【００２４】
なお、本実施形態では、箱本体部８０は、底面板２０、左側底面フラップ２１、右側底面フラップ２２、背面板３０、左側背面フラップ３１、右側背面フラップ３２、第１正面板４０、第１左側正面フラップ４１、および、第１右側正面フラップ４２から主に構成される。また、蓋部９０は、上面板５０、左側上面フラップ５１、右側上面フラップ５２、第２正面板６０、第２左側正面フラップ６１、および、第２右側正面フラップ６２から主に構成される。
【００２５】
切取可能線７０は、図２に示すように、背面側折目線７４の左端から右端まで延びる中央切取線７１と、左側背面フラップ３１に形成された左側切取線７２と、右側背面フラップ３２に形成された右側切取線７３とを有している。
【００２６】
中央切取線７１は、図２に示すように、背面側折目線７４の左端から背面側折目線７４の途中箇所（後述する左側の罫線起点部７１ｄ）まで延びる左側部分７１ａと、背面側折目線７４の右端から背面側折目線７４の途中箇所（後述する右側の罫線起点部７１ｅ）まで延びる右側部分７１ｂと、左側部分７１ａの右端から背面板３０を通って右側部分７１ｂの左端まで延びる略コ字状の押込部画定部７１ｃとを有している。
押込部画定部７１ｃと背面側折目線７４とによって画定された部分は、背面側折目線７４から下方に突出するように、背面板３０に形成された押込部３３として機能する。
【００２７】
左側切取線７２は、図２に示すように、中央切取線７１の左端から左側背面フラップ３１の正面側辺部まで、左側背面フラップ３１の正面側辺部に対して斜めに延びている。
また、右側切取線７３は、図２に示すように、中央切取線７１の右端から右側背面フラップ３２の正面側辺部まで、右側背面フラップ３２の正面側辺部に対して斜めに延びている。
【００２８】
なお、本実施形態では、左側切取線７２が左側背面フラップ３１に形成されているが、図６（ａ）や図６（ｂ）に示すように、左側切取線７２は、左側背面フラップ３１または左側上面フラップ５１の少なくとも一方に形成されていればよく、同様に、右側切取線７３は、右側背面フラップ３２または右側上面フラップ５２の少なくとも一方に形成されていればよい。また、上面フラップ５１、５２に切取線７２、７３を形成した場合、切取線７２、７３は、中央切取線７１の左端または右端から上面フラップ５１、５２の底面側辺部まで延び、左側背面フラップ３１や右側背面フラップ３２の場合と同様に、切取線７２、７３によって基部５１ａ、５２ａから分離される分離部５１ｂ、５２ｂが、背面フラップ３１、３２に接着される。
【００２９】
上面板５０には、中央切取線７１上における左右両端以外の箇所から正面側に向けて延びる少なくとも１本の罫線５３が形成されている。
本実施形態では、図１や図２に示すように、上面板５０には、中央切取線７１上の互いに離間した２つの罫線起点部７１ｄ、７１ｅから正面側に向けて延びる２本の罫線５３が形成されている。これら２本の罫線５３は、正面側に向かうに従って相互間の間隔が広がるように、上面板５０上の途中まで延びている。
【００３０】
つぎに、本実施形態の包装箱１０の開封方法について、以下に説明する。
【００３１】
まず、図３（ａ）に示すように、包装箱１０の内側に向けて押込部３３を押し込むことで、中央切取線７１の押込部画定部７１ｃを破断させ、使用者の手を包装箱１０内に挿入する。
【００３２】
次に、図３（ａ）に示すように、上面板５０を持ち上げることで、中央切取線７１の左側部分７１ａおよび右側部分７１ｂを破断させる。
【００３３】
次に、図３（ｂ）に示すように、上面板５０を更に持ち上げることで、左側背面フラップ３１の左側切取線７２、および、右側背面フラップ３２の右側切取線７３を破断させる。
【００３４】
この際、図４に示すように、上面板５０の持ち上げに伴って上面板５０が罫線５３に沿って折れ曲がり、上面板５０の背面側辺部の左右両端を左右方向の内側に向けて引っ張って移動させることが可能であるため、左側切取線７２および右側切取線７３の上端部に剪断力を作用させて左側切取線７２および右側切取線７３の上端部を破断させ、この破断させた部分を起点として左側切取線７２および右側切取線７３を小さい力で破断させることができる。
【００３５】
なお、図４においては、理解を容易にするために左側切取線７２を図示したが、この左側切取線７２が形成された左側背面フラップ３１は、左側上面フラップ５１の内側に配置されており、左側切取線７２が外側から見えることはない。
【００３６】
最後に、図３（ｃ）に示すように、蓋部９０を除去することで、包装箱１０の開封を完了する。
【００３７】
つぎに、収容物品Ｗの包装方法について、図５に基づいて以下に説明する。
【００３８】
まず、図５（ａ）〜（ｂ）に示すように、底面板２０を下方に向けた姿勢で包装箱１０を作業面上に置いた後、底面板２０の内面上に収容物品Ｗを配置する。
【００３９】
次に、図５（ｃ）〜（ｅ）に示すように、収容物品Ｗを包むように、各板２０〜６０および各フラップ２１〜６２を折り曲げ、折り重なったフラップ２１〜６２同士を接着する。
【００４０】
このように、本実施形態の包装箱１０では、収容物品Ｗの包装時に、作業途中で包装箱１０や収容物品Ｗの姿勢を変えることなく、収容物品Ｗの包装を完了することができる。
【００４１】
次に、本発明の第２実施形態に係る包装箱１０について、図７〜図９に基づいて説明する。ここで、第２実施形態では、一部構成については、前述した第１実施形態と全く同じであるため、相違点以外の構成については、その説明を省略する。
【００４２】
まず、第２実施形態の包装箱１０では、図７〜図９に示すように、上面板５０、左側上面フラップ５１、および、右側上面フラップ５２には、左側上面フラップ５１の底面側辺部から右側上面フラップ５２の底面側辺部まで直線状に延びる少なくとも１本の追加切取線７５が形成されている。本実施形態では、２本の追加切取線７５が形成されている。
【００４３】
これら追加切取線７５は、包装箱１０に２つ目の開封方法を付与するものであり、すなわち、図９（ａ）〜（ｃ）に示すように、２本の追加切取線７５を破断させることにより、蓋部９０の正面側部分のみを除去することができ、具体的には、上面板５０の正面側の一部、左側上面フラップ５１の正面側の一部、右側上面フラップ５２の正面側の一部、第２正面板６０、第２左側正面フラップ６１、および、第２右側正面フラップ６２を除去することができる。
【００４４】
また、第２実施形態の包装箱１０では、図９（ａ）に示すように、第２正面板６０の下側部分が、第１正面板４０の内側に配置される。
【００４５】
次に、本発明の包装箱１０の参考例について、図１０に基づいて説明する。ここで、本参考例では、一部構成については、前述した第２実施形態と全く同じであるため、相違点以外の構成については、その説明を省略する。
【００４６】
本参考例の包装箱１０では、図１０に示すように、第１正面板４０の上面側辺部に凹部４３が形成されている。これにより、第２正面板６０の下側部分を第１正面板４０の内側に挿入し易くなるとともに、箱本体部８０に収容された収容物品Ｗを、包装箱１０の正面側から視認し易くなる。
【００４７】
以上、本発明の実施形態を詳述したが、本発明は上記実施形態に限定されるものではなく、特許請求の範囲に記載された本発明を逸脱することなく種々の設計変更を行なうことが可能である。
【００４８】
例えば、上述した実施形態では、包装箱が段ボールから形成されているものとして説明したが、包装箱の具体的な材料は、１枚の板材であれば如何なるものでもよい。
また、上述した実施形態では、罫線、中央切取線の左側部分および右側部分、左側切取線、右側切取線等が、直線状に延びているものとして説明したが、少なくとも一部分が曲線状に形成されていてもよい。
また、上述した実施形態では、上面板に形成される罫線の本数が２本であるものとして説明したが、罫線の本数は１本以上であればよい。また、罫線の長さ等の各種設計については、包装箱の開封時において、上面板が折れ曲がり、上面板の背面側辺部の左右両端を左右方向の内側に向けて移動させることが可能なものであれば、如何なるものでもよい。
また、上述した実施形態では、底面板を下方に向けた姿勢で包装箱を使用するものとして説明したが、包装箱の使用方法は実施態様に応じて任意に決定すればよく、例えば上面板や背面板を下方に向けた姿勢で包装箱を使用してもよい。
【符号の説明】
【００４９】
１０    ・・・  包装箱
２０    ・・・  底面板
２１    ・・・  左側底面フラップ
２２    ・・・  右側底面フラップ
３０    ・・・  背面板
３１    ・・・  左側背面フラップ
３１ａ  ・・・  基部
３１ｂ  ・・・  分離部
３２    ・・・  右側背面フラップ
３２ａ  ・・・  基部
３２ｂ  ・・・  分離部
３３    ・・・  押込部
４０    ・・・  第１正面板
４１    ・・・  第１左側正面フラップ
４２    ・・・  第１右側正面フラップ
４３    ・・・  凹部
５０    ・・・  上面板
５１    ・・・  左側上面フラップ
５２    ・・・  右側上面フラップ
５３    ・・・  罫線
６０    ・・・  第２正面板
６１    ・・・  第２左側正面フラップ
６２    ・・・  第２右側正面フラップ
７０    ・・・  切取可能線
７１    ・・・  中央切取線
７１ａ  ・・・  左側部分
７１ｂ  ・・・  右側部分
７１ｃ  ・・・  押込部画定部
７２    ・・・  左側切取線
７３    ・・・  右側切取線
７４    ・・・  背面側折目線
７５    ・・・  追加切取線
８０    ・・・  箱本体部
９０    ・・・  蓋部
Ｗ      ・・・  収容物品
【図１】
2017088223.tif 000003
【図２】
2017088223.tif 000004
【図３】
2017088223.tif 000005
【図４】
2017088223.tif 000006
【図５】
2017088223.tif 000007
【図６】
2017088223.tif 000008
【図７】
2017088223.tif 000009
【図８】
2017088223.tif 000010
【図９】
2017088223.tif 000011
【図１０】
2017088223.tif 000012
【図１１】
2017088223.tif 000013
【図１２】
2017088223.tif 000014